(57)【要約】【課題】シンプルな構造で全開時に回動開閉蓋がカートンから外れにくくする。【解決手段】振出カートン１は，対向する正面パネル14および背面パネル12と，対向する左右の側面パネル15，13と，対向する天面パネル22および底面パネル33を備え，これらのパネルによって内部に直方体状空間を形成するものである。天面パネル22は上方に回動自在であり，天面パネル22が振出口Ｋを開閉する回動開閉蓋として用いられる。天面パネル22の両側端のそれぞれに，天面パネル22と直交する方向にのびてカートン１内に位置する一対の回動壁面部21，23が連設されている。天面パネル22および一対の回動壁面部21，23を上方に回動することによって形成される振出口Ｋの下縁を規定する左側面パネル15の上縁に，内側に折り曲げられかつ上記一対の回動壁面部21，23によって両側から挟まれるスペーサ片24が連設されている。【選択図】図３
2020015523.tif 000002
【特許請求の範囲】
【請求項１】
対向する正面パネルおよび背面パネルと，対向する左右の側面パネルと，対向する天面パネルおよび底面パネルを備え，これらのパネルによって内部に直方体状空間を形成するカートンであって，
上記天面パネルの少なくとも一部が上方に回動自在であり，天面パネルの回動範囲が振出口を開閉する回動開閉蓋として用いられ，
上記回動開閉蓋の両側端のそれぞれに，上記回動開閉蓋と直交する方向にのびて上記カートン内に位置する一対の回動壁面部が連設されており，
上記回動開閉蓋および上記一対の回動壁面部を上方に回動することによって形成される振出口の下縁を規定するパネルの上縁に，内側に折り曲げられかつ上記一対の回動壁面部によって両側から挟まれるスペーサ片が連設されている，
振出カートン。
【請求項２】
上記一対の回動壁面部のそれぞれの外縁が，上記回動開閉蓋に連続する円弧状外縁部と上記円弧状外縁部に連続する直線状外縁部を備え，
上記回動開閉蓋および一対の回動壁面部を上方に回動する途中，上記直線状外縁部が上記カートン内において上記振出口の下縁を規定するパネルに線状に当接する，
請求項１に記載の振出カートン。
【請求項３】
上記回動開閉蓋の先端に，上記回動開閉蓋を閉じたときに上記振出口の下縁を規定するパネルを超えて外方に突出する指掛け部が連設されている，
請求項１または２に記載の振出カートン。
【請求項４】
１枚の厚紙，プラスチック・シートまたはこれらの複合材から作られている，請求項１から３のいずれか一項に記載の振出カートン。
【発明の詳細な説明】
【技術分野】
【０００１】
この発明は，チョコレート，キャンデー，ガム，グミ，ビーズ，おはじき，その他の比較的小さい粒状，球状，楕円球状，直方体状等の種々の形状を持つ菓子類，おもちゃないし玩具等の内容物を収容し，それを小出しできるようにした振出カートンに関する。
【背景技術】
【０００２】
カートンに収納された内容物を外に振り出すための振出口を開閉自在に形成する振出折箱が知られている。特許文献１は，蓋板につながる略扇状の案内片15ａの先端に係止爪30を形成した振出折箱を開示する。蓋板を開く途中，係止爪30が折箱に係止し，そこで蓋板の回動が止まる。
【先行技術文献】
【特許文献】
【０００３】
【特許文献１】特開２０００−９５２８２号公報
【０００４】
係止爪30によって蓋板の動きが止められることで，蓋板および案内片が折箱から抜け出てしまうことが防止される。しかしながら，特許文献１の係止爪は小さく，構造がやや複雑である。また，係止爪の形状，形成位置，突出高さ等に関して，高い寸法精度を必要とする。
【発明の開示】
【０００５】
この発明は，シンプルな構造で全開時に回動開閉蓋がカートンから外れにくくすることを目的とする。
【０００６】
この発明はまた，全閉，全開，その途中のいずれの段階においても，回動開閉蓋の回動を止めることができるようにすることを目的とする。
【０００７】
この発明はさらに，大きな振出口を形成することができるようにすることを目的とする。
【０００８】
この発明による振出カートンは，対向する正面パネルおよび背面パネルと，対向する左右の側面パネルと，対向する天面パネルおよび底面パネルを備え，これらのパネルによって内部に直方体状空間を形成するものであって，上記天面パネルの少なくとも一部が上方に回動自在であり，天面パネルの回動範囲が振出口を開閉する回動開閉蓋として用いられ，上記回動開閉蓋の両側端のそれぞれに，上記回動開閉蓋と直交する方向にのびて上記カートン内に位置する一対の回動壁面部が連設されており，上記回動開閉蓋および上記一対の回動壁面部を上方に回動することによって形成される振出口の下縁を規定するパネルの上縁に，内側に折り曲げられかつ上記一対の回動壁面部によって両側から挟まれるスペーサ片が連設されていることを特徴とする。好ましくは，この発明の振出カートンは，１枚の厚紙，プラスチック・シートまたはこれらの複合材から作られる。
【０００９】
天面パネルはその全体が回動するものであってもよいし，その一部が回動するものであってもよい。
【００１０】
天面パネルの全体を回動させる場合には，天面パネルの一端部を，左右の側面パネルのいずれかの上端に，または正面もしくは背面パネルのいずれかの上端に折り線を介して連設すればよい。たとえば天面パネルの一端部が右側面パネルの上端に連設されていれば，右側面パネルとの境界の折り線を回動軸にして天面パネルの全体を回動させることができる。この場合，振出口は左側面パネルがわに形成され，天面パネルの全体が回動開閉蓋になる。天面パネルの一端部はたとえば背面パネルの上端に折り線を介して連設してもよい。天面パネルは背面パネルとの境界を回動軸に回動し，振出口は正面パネルがわに形成されることになる。
【００１１】
天面パネルに折り線を形成しておき，その折り線を回動軸として用いることによって天面パネルの一部を回動させることができる。天面パネルの全体ではなく，その一部が回動開閉蓋として用いられる態様である。
【００１２】
回動開閉蓋の両側端のそれぞれに，上記回動開閉蓋と直交する方向にのびて上記直方体カートン内に位置する一対の回動壁面部が連設されているので，回動開閉蓋を回動させると，これと一緒に回動壁面部も回動する。回動開閉蓋を上方に回動させると，カートン内から一対の回動壁面部が引き出されて次第に外に露出する。
【００１３】
この発明によると，上記回動開閉蓋および上記一対の回動壁面部を上方に回動することによって形成される振出口の下縁を規定するパネル（左側面パネル，右側面パネル，正面パネルまたは背面パネルのいずれか）の上縁に，内側に折り曲げられかつ上記一対の回動壁面部によって両側から挟まれるスペーサ片が連設されているので，スペーサ片によって一対の回動壁面部が両側から支えられ，一対の回動壁面部が内側に倒れてしまう（傾いてしまう）ことが防止される。
【００１４】
分かりやすくするために，スペーサ片が存在しない状態を考える。上述のように，一対の回動壁面部は天面パネルの両側端のそれぞれに連設され，上記回動開閉蓋と直交する方向にのびて上記直方体カートン内に位置する。一対の回動壁面部は，天面パネルにつながる側と反対側においてそれらの間に支えるものはない。このため，回動開閉蓋を上方に回動することで外に引き出された一対の回動壁面部を内向きに押すと，一対の回動壁面部は互いに近づく向きに斜めの姿勢になる。一対の回動壁面部が互いに近づく向きに斜めの姿勢をとると，回動壁面部が内容物に干渉してしまい振出口から内容物を振出しにくくなる。また，回動壁面部がカートンから抜け出てしまいやすくなる。
【００１５】
この発明によると，スペーサ片が一対の回動壁面部の間に挟まれているので，一対の回動壁面部が斜めの姿勢をとることが阻止される。このため，回動壁面部が内容物に干渉したり，カートンから抜け出やすくなったりすることを防ぐことができる。さらに，大きな回転角度にまで回動開閉蓋を回転させても回動壁面部がカートンから抜出しにくくなるから，大きな振出口を作りやすい。
【００１６】
さらに，スペーサ片の両側部とカートンを構成するパネルの内面とによって一対の回動壁面部のそれぞれを挟むこともできるので，摩擦力によって，回動開閉蓋を，任意の回転位置において簡易にロックする（動きを止める）ことができる。全開位置，全閉位置のみならず，その途中のたとえば半開位置においても回動開閉蓋を係止させることができ，振出口の大きさの調整を行いやすい。
【００１７】
また，回動開閉蓋を閉じたときに回動開閉蓋とスペーサ片とを上下に重ねることができるので，たとえば回動開閉蓋が全閉位置から下向きにさらに押されたときに，回動開閉蓋がカートン内に落ち込みにくくなり，全閉位置における安定性も向上する。
【００１８】
好ましくは，上記一対の回動壁面部のそれぞれの外縁が，上記回動開閉蓋に連続する円弧状外縁部と上記円弧状外縁部に連続する直線状外縁部を備え，上記回動開閉蓋および一対の回動壁面部を上方に回動する途中，上記直線状外縁部が上記カートン内において上記振出口の下縁を規定するパネルに線状に当接する。回動壁面部がカートンから抜け出てしまうことを効果的に防止することができる。また，線状に当接するので，全開位置における安定性も向上する。
【００１９】
一実施態様では，上記回動開閉蓋の先端に，上記回動開閉蓋を閉じたときに，上記振出口の下縁を規定するパネルを超えて外方に突出する指掛け部が連設されている。指掛け部に指を掛けて回動開閉蓋を上方に引き上げやすい。
【図面の簡単な説明】
【００２０】
【図１】振出カートンを形成する型紙である。
【図２】組み立てられた振出カートンの斜視図である。
【図３】振出口があけられた振出カートンの斜視図である。
【図４】変形例の振出カートンの斜視図である。
【図５】変形例のスペーサ片を備える振出カートンの斜視図である。
【図６】さらに他の変形例のスペーサ片を備える振出カートンの斜視図である。
【図７】スペーサ片の形状変形例を示す。
【図８】スペーサ片の他の形状変形例を示す。
【図９】スペーサ片のさらに他の形状変形例を示す。
【図１０】スペーサ片のさらに他の形状変形例を示す。
【実施例】
【００２１】
図１は，振出カートンを形成する型紙（ブランク）の展開図であり，振出カートンの内側となる面を見たものである。ボール紙，プラスチック・シート，またはこれらの複合材が，図１に示す形状に打ち抜かれる。図１に示す一点鎖線は振出カートンを組み立てるときに谷折りされる折り線を示している。折り曲げを容易にするために，一点鎖線に沿って折り線加工や折罫加工が施される。
【００２２】
同じ高さを持つ縦長長方形の糊代パネル11，背面パネル12，右側面パネル13，正面パネル14および左側面パネル15が，折り線を介して横向きに連設されている。正面，背面パネル12，14の大きさは等しく，左右の側面パネル13，15の大きさも同じである。正面，背面パネル12，14の幅に比べて左右の側面パネル13，15の幅は狭い。
【００２３】
右側面パネル13の上端に折り線を介して天面パネル22が連設されている。さらに上記天面パネル22の左右端には一対の回動壁面部21，23がそれぞれ連設されている。一対の回動壁面部21，23のそれぞれと背面，正面パネル12，14の上縁との間には切込みが入れられており，回動壁面部21，23と背面，正面パネル12，14とはつながっていない。
【００２４】
天面パネル22の幅は右側面パネル13の幅と等しいか，右側面パネル13の幅よりもわずかに狭い。また天面パネル22の長さは正面，背面パネル14，12の幅とほぼ等しい。さらに，天面パネル22の先端部分（右側面パネル13につながる側と反対側）は外向きにわずかに弧状に突出している。天面パネル22の先端の弧状の突出部分を，以下，指掛け部22ａと呼ぶ。
【００２５】
回動壁面部21，23は概略的には扇形であるが，外縁全体が弧状にはなってはいない。回動壁面部21，23の外縁に着目すると，天面パネル22の先端につながる弧状外縁部21ａ，23ａ，途中で斜め直線状に延びる斜め直線外縁部21ｂ，23ｂ，最後にやや急激に角度を変えて背面，正面パネル12，14に向かう直線外縁部21ｃ，23ｃとによって，回動壁面部21，23の外縁は規定されている。
【００２６】
左側面パネル15の上端に折り線を介してスペーサ片24が連設されている。スペーサ片24の詳細は後述する。
【００２７】
背面パネル12の下端に折り線を介して内側底面パネル31が，正面パネル14の下端には折り線を介して外側底面パネル33が，それぞれ連設されている。右側面パネル13および左側面パネル15の下端にはフラップ32，34がそれぞれ連設されている。
【００２８】
振出カートン１の組み立て手順を説明する。はじめに一対の回動壁面部21，23を天面パネル22に対してほぼ直角に谷折りして互いに向かい合わせ，次に天面パネル22を右側面パネル13に対してほぼ直角に谷折りする。スペーサ片24を内側にほぼ直角に谷折りして，続いて糊代パネル11，背面パネル12，右側面パネル13，正面パネル14および左側面パネル15を，隣り合うパネルとほぼ直角になるようにそれぞれ谷折りする。スペーサ片24は天面パネル22の下側に潜り込ませ，かつ一対の回動壁面部21，23の間に挟める。左側面パネル15が外側に，糊代パネル11が内側になるようにして左側面パネル15と糊代パネル11を重ね合わせて接着することで，底部が開口した直方体状の形状が形成される。開口する底部から内容物が入れられる。
【００２９】
内容物を入れ終わった後，２つのフラップ32，34をほぼ直角に谷折りし，続いて内側底面パネル31を，最後に外側底面パネル33を，それぞれほぼ直角に谷折りする。重なり合う内側底面パネル31と外側底面パネル33を接着することで，底部が内側，外側底面パネル31，33によって閉じられる。直方体状のカートン１が完成する（図２）。底部は上述した接着（シール）タイプに代えて，サックタイプにしてもよい。
【００３０】
図３を参照して，天面パネル22の先端の指掛け部22ａに指を掛け，天面パネル22を上向きに引き起こすと，天面パネル22は右側面パネル13との境界を軸にして上方に回動する。天面パネル22の左右端には回動壁面部21，23がつながっているので，天面パネル22を回動させると回動壁面部21，23も天面パネル22と一緒に回動する。カートン１内に収められていた回動壁面部21，23が次第に外に露出する。
【００３１】
天面パネル22を上方に回動させることで，左側面パネル15の上方には，天面パネル22の先端縁，回動壁面部21，23の先端縁（外縁），および左側面パネル15の上縁によって囲まれる，カートン１の内部空間につながる概略方形の振出口Ｋ（天面パネル22および回動壁面部21，23によって囲まれる通路）が形成される。カートン１内に入っている内容物は，この振出口Ｋから外に振り出すことができる。このように，天面パネル22は，カートン１の振出口Ｋを開閉する回動開閉蓋として機能する。
【００３２】
天面パネル22を引き起こし続けると，回動壁面部21，23の斜め直線外縁部21ｂ，23ｂがカートン１内において左側面パネル15の内面に当たり，そこで天面パネル22の回動が止まる。回動壁面部21，23の斜め直線外縁部21ｂ，23ｂによって天面パネル22の全開状態が規定される。斜め直線外縁部21ｂ，23ｂは線状に左側面パネル15に当たるので，全開状態の安定性がよい。
【００３３】
さらに，カートン１では，上述したように，左側面パネル15の上端につながるスペーサ片24が内側に折り曲げられており，回動壁面部21，23によって内側に折り曲げられたスペーサ片24はその両側から挟まれている。このため，回動壁面部21，23は内向きに傾く（倒れる）ことなく，天面パネル22に対してほぼ直角に折られた状態を保ちつづけ，背面パネル12および正面パネル14の内面に沿う状態を保ちつづける。スペーサ片24が無い場合，外に引き出された回動壁面部21，23は内向きに傾きやすく，内向きに傾くことで回動壁面部21，23が内容物と干渉して内容物を振出口Ｋから振出しにくくなったり，回動壁面部21，23がカートン１から抜け出やすくなったりするが，スペーサ片24によって回動壁面部21，23の内向きの傾きが防止されるので，回動壁面部21，23と内容物との干渉は無く，また回動壁面部21，23がカートン１から抜け出てしまうこともない。
【００３４】
また，一方の回動壁面部21は背面パネル12の内面とスペーサ片24の一側端の間に挟まれ，他方の回動壁面部23は正面パネル14の内面とスペーサ片24の他側端の間に挟まれている。すなわち，回動壁面部21，23は，スペーサ片24の両側端と正面，背面パネル14，12の内面との間を摺動することになる。このため，天面パネル22を全開にした状態（図３の状態）にしても，天面パネル22を半分程度回動させた半開状態にしても，摩擦抵抗によってその位置で天面パネル22を簡易にロックすることができ，振出口Ｋの大きさを調整することができる。
【００３５】
天面パネル22を上方に回動させると，スペーサ片24はほぼ直角に内側に折られた状態から次第に上向き斜めになる（折り曲げの角度が浅くなる）。しかしながら，天面パネル22を全開状態にしても回動壁面部21，23による挟込みが完全は外れてしまうことはない。天面パネル22を下方に回動して振出口Ｋを閉じると，スペーサ片24はほぼ直角に内側に折られた状態に戻る。
【００３６】
天面パネル22を完全に閉じたとき，天面パネル22とスペーサ片24とは上下に重なるので全閉状態の安定性もよい。たとえば全閉状態の天面パネル22を下向きに押しても，天面パネル22はカートン１内に落ち込みにくい。
【００３７】
天面パネル22の全体を回動開閉蓋として用いるのに代えて，天面パネル22の一部を回動開閉蓋として用いてもよい。図４は，背面パネル12と正面パネル14とを結ぶ方向にのびる折り線28によって天面パネル22がほぼ二等分され，二分された天面パネル22のうち，左側面パネル15側の一部の範囲の天面パネル22ｂが回動開閉蓋として用いられる，変形例の振出カートン１Ａを示している。振出カートン１に比べて振出口Ｋが小さくなるので，これにあわせてスペーサ片24の長さが短くされている。
【００３８】
さらに，スペーサ片について，内側に直角に折る必要は必ずしもなく，図５に示す変形例の振出カートン１Ｂ（天面パネル22および回動壁面部21，23を省略して図示している）のように，斜め上向きの姿勢を持つように折り曲げられるスペーサ片25を形成してもよい。さらに図６に示す他の変形例の振出カートン１Ｃのように，斜め上向きのスペーサ片26と，斜め上向きのスペーサ片26の先端に折り線を介してつながり，天面パネル22が閉じられたときに天面パネル22と平行な姿勢になるスペーサ片27を形成してもよい。比較的長い距離にわたって回動壁面部21，23の内向きへの傾きを防止するための支えが，スペーサ片26，27によって形成される。
【００３９】
図７〜図１０は，左側面パネル15の上端に連設される，様々な形状を持つスペーサ片の変形例を示している。図７〜図１０に示すようにスペーサ片は方形に限らなくてもよい。図７に示すように台形のスペーサ片24Ａであってもよく，図８のように逆台形スペーサ片24Ｂであってもよい。さらに図９に示すような両側端が外向き弧状に膨らむ形状をもつスペーサ片24Ｃ，図１０に示すような先端部分のみに両側方に弧状に膨らむ形状を持つスペーサ片24Ｄであってもよい。図７〜図１０に示すスペーサ片24Ａ〜24Ｄのうち，図８〜図１０に示すスペーサ片24Ｂ〜24Ｄは左側面パネル15の幅よりも広い幅を持つので，カートン内において上方または下方に湾曲することになるのは言うまでもない。
【符号の説明】
【００４０】
１，１Ａ，１Ｂ，１Ｃ  振出カートン
12  背面パネル
13  右側面パネル
14  正面パネル
15  左側面パネル
21，23  回動壁面部
21ａ，23ａ  弧状外縁部
21ｂ，23ｂ  斜め直線外縁部
22  天面パネル
22ａ  指掛け部
24，24Ａ，24Ｂ，24Ｃ，24Ｄ，25，26，27  スペーサ片
31  内側底面パネル
33  外側底面パネル
Ｋ  振出口
【図１】
2020015523.tif 000003
【図２】
2020015523.tif 000004
【図３】
2020015523.tif 000005
【図４】
2020015523.tif 000006
【図５】
2020015523.tif 000007
【図６】
2020015523.tif 000008
【図７】
2020015523.tif 000009
【図８】
2020015523.tif 000010
【図９】
2020015523.tif 000011
【図１０】
2020015523.tif 000012